【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
（ａ）心拍数が徐々に増加する段階の間に、前記被験者から第１のＲＲ間隔データセットを収集するステップと、
（ｂ）心拍数が徐々に減少する段階の間に、前記被験者から第２のＲＲ間隔データセットを収集するステップと、ここで、前記第１および第２のＲＲ間隔のデータセットが、自律神経系およびホルモンの前記データセットに対する影響による急速な過渡現象の影響が最小である間に収集されるものであり、
（ｃ）前記第１のＲＲ間隔データセットと前記第２のＲＲ間隔データセットとを比較して、前記データセット間の相違を確定するステップと、
（ｄ）前記ステップ（ｃ）の比較から、前記第１および第２のデータセット間の相違が大きいことが、前記被験者の心臓虚血が大きく、心臓又は心臓血管の健康状態が低下していることを示す、前記被験者における刺激中の心臓虚血の尺度を生成するステップと、
を含む、冠動脈疾患を患っている被験者の心臓又は心臓血管の健康状態の尺度を提供するために前記被験者の心臓虚血を評価する方法。
【請求項２】
前記第１および第２のＲＲ間隔のデータセットが準定常状態のもとで収集されることを特徴とする請求項１に記載の方法。
【請求項３】
心拍数が徐々に増加する前記段階と心拍数が徐々に減少する前記段階とはそれぞれ、持続時間が少なくとも３分であることを特徴とする請求項１に記載の方法。
【請求項４】
心拍数が徐々に増加する前記段階と心拍数が徐々に減少する前記段階とが、全体の時間を６分から４０分として一緒に実行されることを特徴とする請求項１に記載の方法。
【請求項５】
心拍数が徐々に増加する前記段階と心拍数が徐々に減少する前記段階との両方がピーク心拍数と最低心拍数との間において実行され、心拍数が徐々に増加する前記段階と心拍数が徐々に減少する前記段階との両方の前記ピーク心拍数が同じであることを特徴とする請求項１に記載の方法。
【請求項６】
心拍数が徐々に増加する前記段階と心拍数が徐々に減少する前記段階との両方の前記最低心拍数がほぼ同じであることを特徴とする請求項５に記載の方法。
【請求項７】
心拍数が徐々に減少する前記段階が少なくとも３つの異なる心拍数刺激レベルにおいて実行されることを特徴とする請求項１に記載の方法。
【請求項８】
心拍数が徐々に増加する前記段階が少なくとも３つの異なる心拍数刺激レベルにおいて実行されることを特徴とする請求項７に記載の方法。
【請求項９】
心拍数が徐々に増加する前記段階および心拍数が徐々に減少する前記段階が時間的に連続して実行されることを特徴とする請求項１に記載の方法。
【請求項１０】
心拍数が徐々に増加する前記段階および心拍数が徐々に減少する前記段階が時間的に間を置いて実行されることを特徴とする請求項１に記載の方法。
【請求項１１】
前記生成するステップが前記それぞれデータセットから曲線を生成することによって実行されることを特徴とする請求項１に記載の方法。
【請求項１２】
前記生成するステップがデータセットからの前記曲線の形状を比較することによって実行されることを特徴とする請求項１１に記載の方法。
【請求項１３】
前記生成するステップが前記曲線間の領域の尺度を決定することによって実行されることを特徴とする請求項１１に記載の方法。
【請求項１４】
前記生成するステップがデータセットからの前記曲線の形状を比較することおよび前記曲線間の領域の尺度を決定することの両方によって実行されることを特徴とする請求項１１に記載の方法。
【請求項１５】
前記曲線を表示するステップをさらに含むことを特徴とする請求項１１に記載の方法。
【請求項１６】
心拍数が徐々に増加する前記段階の間において、前記心拍数が１２０拍／分を超えないことを特徴とする請求項１に記載の方法。
【請求項１７】
心拍数が徐々に増加する前記段階の間において、前記心拍数が１２０拍／分を超えることを特徴とする請求項１に記載の方法。
【請求項１８】
（ｅ）刺激を加える間の心臓虚血の前記尺度と少なくとも１つの基準値とを比較するステップと、
（ｆ）前記ステップ（ｅ）の比較から、前記被験者に対する心臓又は心臓血管の健康状態の定量的な表示を生成するステップと
をさらに含むことを特徴とする請求項１に記載の方法。
【請求項１９】
前記定量的な表示から、前記被験者が将来の虚血に関連した心臓の事故に直面する危険の可能性を評価するステップをさらに含むことを特徴とする請求項１８に記載の方法。
【請求項２０】
（ａ）運動負荷を徐々に増加させて心拍数が徐々に増加する段階の間に、前記被験者から第１のＲＲ間隔データセットを収集するステップと、
（ｂ）次いで、運動を急に停止させた後、心拍数が徐々に減少する休息の段階の間に、前記被験者から第２のＲＲ間隔データセットを収集するステップと、
（ｃ）前記第１のＲＲ間隔データセットと前記第２のＲＲ間隔データセットとを比較して、前記データセット間の相違を確定するステップと、
（ｄ）前記ステップ（ｃ）の比較から、前記第１および第２のデータセット間の相違が大きいことが、前記被験者の心臓虚血が大きく、心臓又は心臓血管の健康状態が低下していることを示す、前記被験者における運動中の心臓虚血の尺度を生成するステップと
を含む、冠動脈疾患を患っている被験者の心臓又は心臓血管の健康状態の尺度を提供するために前記被験者の心臓虚血を評価する方法。
【請求項２１】
運動負荷を徐々に増加させる前記段階と休息の前記段階とはそれぞれ、持続時間が少なくとも３分であることを特徴とする請求項２０に記載の方法。
【請求項２２】
運動負荷を徐々に増加させる前記段階と休息の前記段階とが、全体の時間を６分から４０分として一緒に実行されることを特徴とする請求項２０に記載の方法。
【請求項２３】
運動負荷を徐々に増加させる前記段階が少なくとも３つの異なる負荷レベルにおいて実行されることを特徴とする請求項２０に記載の方法。
【請求項２４】
前記生成するステップが前記それぞれデータセットから曲線を生成することによって実行されることを特徴とする請求項２０に記載の方法。
【請求項２５】
前記生成するステップが前記データセットからの前記曲線の形状を比較することによって実行されることを特徴とする請求項２４に記載の方法。
【請求項２６】
前記生成するステップが前記曲線間の領域の尺度を決定することによって実行されることを特徴とする請求項２４に記載の方法。
【請求項２７】
前記生成するステップがデータセットからの前記曲線の形状を比較することと前記曲線間の領域の尺度を決定することとの両方によって実行されることを特徴とする請求項２４に記載の方法。
【請求項２８】
前記曲線を表示するステップをさらに含むことを特徴とする請求項２４に記載の方法。
【請求項２９】
運動負荷を徐々に増加させる前記段階の間において、前記心拍数が１２０拍／分を超えないことを特徴とする請求項２０に記載の方法。
【請求項３０】
心拍数が徐々に増加する前記段階の間において、前記心拍数が１２０拍／分を超えることを特徴とする請求項２０に記載の方法。
【請求項３１】
（ｅ）運動する間の心臓虚血の前記尺度と少なくとも１つの基準値とを比較するステップと、
（ｆ）前記ステップ（ｅ）の比較から、前記被験者に対する心臓又は心臓血管の健康状態の定量的な表示を生成するステップと
をさらに含むことを特徴とする請求項２０に記載の方法。
【請求項３２】
前記定量的な表示から、前記被験者が将来の虚血に関連した心臓の事故に直面する危険の可能性を評価するステップをさらに含むことを特徴とする請求項３１に記載の方法。
【請求項３３】
（ａ）持続時間が少なくとも５分間で少なくとも３つの異なる負荷レベルの運動負荷を徐々に増加させて心拍数が徐々に増加する段階の間に、前記被験者から第１のＲＲ間隔データセットを収集するステップと、
（ｂ）次いで、運動を急に停止させた後、持続時間が少なくとも５分間の心拍数が徐々に減少する休息の段階の間に、前記被験者から第２のＲＲ間隔データセットを収集するステップと、
（ｃ）前記データセット間の相違を確定するために、前記第１のＲＲ間隔データセットと前記第２のＲＲ間隔データセットとを比較するステップと、
（ｄ）前記ステップ（ｃ）の比較から、前記第１および第２のデータセット間の相違が大きいことが、前記被験者の心臓虚血が大きく、心臓又は心臓血管の健康状態が低下していることを示す、前記被験者における運動中の心臓虚血の尺度を生成するステップと、
（ｅ）運動する間の前記心臓虚血の尺度と少なくとも１つの基準値とを比較するステップと、
（ｆ）前記ステップ（ｅ）の比較から、前記被験者に対する心臓又は心臓血管の健康状態の定量的な表示を生成するステップと
を含む、冠動脈疾患を患っている被験者の心臓又は心臓血管の健康状態の尺度を提供するために、前記被験者の心臓虚血を評価する方法。
【請求項３４】
前記運動負荷を徐々に増加させる段階と前記休息の段階とは、全体の時間を６分から４０分として一緒に実行されることを特徴とする請求項３３に記載の方法。
【請求項３５】
前記生成するステップが前記それぞれデータセットから曲線を生成することによって実行されることを特徴とする請求項３３に記載の方法。
【請求項３６】
前記生成するステップが前記データセットからの前記曲線の形状を比較することによって実行されることを特徴とする請求項３５に記載の方法。
【請求項３７】
前記生成するステップが前記曲線間の領域の尺度を決定することによって実行されることを特徴とする請求項３５に記載の方法。
【請求項３８】
前記生成するステップが前記データセットからの前記曲線の形状を比較することと前記曲線間の領域の尺度とを決定することの両方によって実行されることを特徴とする請求項３５に記載の方法。
【請求項３９】
前記曲線を表示するステップをさらに含むことを特徴とする請求項３５に記載の方法。
【請求項４０】
運動負荷を徐々に増加させる前記段階の間において、前記心拍数が１２０拍／分を超えないことを特徴とする請求項３３に記載の方法。
【請求項４１】
心拍数が徐々に増加する前記段階の間において、前記心拍数が１２０拍／分を超えることを特徴とする請求項２０に記載の方法。
【請求項４２】
前記定量的な表示から、前記被験者が将来の虚血に関連した心臓の事故に直面する危険の可能性を評価するステップをさらに含むことを特徴とする請求項３３に記載の方法。